(57)【特許請求の範囲】
【請求項１】
光入射辺に複数の凸部を有し、光射出面から液晶パネルに向けて照明光を射出する導光板と、
前記導光板の前記凸部間に配置され、当該導光板の前記光入射辺側に光を射出する光源と、
前記液晶パネルおよび前記導光板を保持する保持部材と、を有し、
前記保持部材は、少なくとも前記導光板の前記光入射辺に隣接し互いに対向する２つの辺を保持する側壁部と、前記液晶パネルおよび前記導光板を保持する保持面とを有してなり、
前記保持面は、前記液晶パネルの角部とその近傍を除く周縁部を支持するパネル支持領域と、前記パネル支持領域よりも低い位置にあって前記液晶パネルを支持しないパネル非支持領域を有し、
前記パネル非支持領域は、前記光入射辺に沿って設けられた係止部とを有してなり、
前記導光板の前記凸部の少なくとも一部が、前記係止部の前記光射出面側に載置されている照明装置。
【請求項２】
前記係止部の前記光射出面側の面に、前記凸部の少なくとも一部が係止される係止凹部が形成されている請求項１記載の照明装置。
【請求項３】
光入射辺に複数の凸部を有し、光射出面から液晶パネルに向けて照明光を射出する導光板と、
前記導光板の前記凸部間に配置され、当該導光板の前記光入射辺側に光を射出する光源と、
前記液晶パネルおよび前記導光板を保持する保持部材と、を有し、
前記保持部材は、少なくとも前記導光板の前記光入射辺に隣接し互いに対向する２つの辺を保持する側壁部と、前記液晶パネルおよび前記導光板を保持する保持面とを有してなり、
前記保持面は、前記液晶パネルの角部とその近傍を除く周縁部を支持するパネル支持領域と、前記パネル支持領域よりも低い位置にあって前記液晶パネルを支持しないパネル非支持領域を有し、
前記パネル非支持領域は、前記光入射辺に沿って設けられた係止部とを有してなり、
前記係止部の内壁面に、前記導光板の前記凸部の少なくとも一部を嵌入させる嵌入凹部が形成されている照明装置。
【請求項４】
前記凸部の突出する方向の先端側面に、前記凸部から外側に突出する突起部が形成されており、前記突起部が前記係止部に係止されている請求項１ないし３のいずれか一項に記載の照明装置。
【請求項５】
前記保持面は、高低差のある前記パネル支持領域と前記パネル非支持領域を、傾斜面を介して接続する請求項１ないし４のいずれか一項に記載の照明装置。
【請求項６】
前記係止部は、少なくとも一部に前記側壁部よりも断面積が小さい領域を有する請求項１ないし５のいずれか一項に記載の照明装置。
【請求項７】
前記凸部と前記係止部とが接着剤により固定されている請求項１ないし６のいずれか一項に記載の照明装置。
【請求項８】
前記導光板の前記凸部が、前記係止部両端の前記保持部材の角部近傍にそれぞれ設けられている請求項１ないし７のいずれか一項に記載の照明装置。
【請求項９】
請求項１から８のいずれか一項に記載の照明装置と、該照明装置からの光を変調する液晶パネルとを備えた液晶装置。
【請求項１０】
請求項９記載の液晶装置を備えた電子機器。
【発明の詳細な説明】
【技術分野】
【０００１】
本発明は、照明装置、液晶装置、電子機器に関するものである。
【背景技術】
【０００２】
現在、携帯電話機、携帯情報端末機等といった各種の電子機器において、各種の情報を視覚的に表示するための表示部として液晶装置が用いられている。このような液晶装置の一例として、液晶パネルと、バックライトと、液晶パネルおよびバックライトを収容するためのフレーム（保持部材）とを備えた構造が知られている。液晶パネルは、第１基板と、第１基板よりも張り出した張り出し部を有する第２基板と、で液晶層を挟持してなる。
【０００３】
従来、バックライトのフレームは、強度をもたせるためにできるだけ肉厚に設計するようにしてきた（例えば、特許文献１参照）。
【特許文献１】特開２００５−３０２４８５号公報
【発明の開示】
【発明が解決しようとする課題】
【０００４】
しかしながら、逆にモジュール落下時の衝撃でフレームに撓みが生じた際に、フレームの重量が大きいとそれに比例して液晶パネルに加わる応力も大きくなるため、特に液晶パネルの一枚ガラスとされた第２基板の張り出し部に割れが生じる虞があった。
【０００５】
本発明は、上記課題に鑑みてなされたものであり、その目的は、保持部材の撓みを防止して耐衝撃性に優れた照明装置、液晶装置、電子機器を提供することにある。
【課題を解決するための手段】
【０００６】
本発明の照明装置は、上記課題を解決するために、光入射辺に複数の凸部を有し、光射出面から液晶パネルに向けて照明光を射出する導光板と、前記導光板の前記凸部間に配置され、当該導光板の前記光入射辺側に光を射出する光源と、前記液晶パネルおよび前記導光板を保持する保持部材と、を有し、前記保持部材は、少なくとも前記導光板の前記光入射辺に隣接し互いに対向する２つの辺を保持する側壁部と、前記液晶パネルおよび前記導光板を保持する保持面とを有してなり、前記保持面は、前記液晶パネルの角部とその近傍を除く周縁部を支持するパネル支持領域と、前記パネル支持領域よりも低い位置にあって前記液晶パネルを支持しないパネル非支持領域を有し、前記パネル非支持領域は、前記光入射辺に沿って設けられた係止部とを有してなり、前記導光板の前記凸部の少なくとも一部が、前記係止部の前記光射出面側に載置されている。
【０００８】
また、前記係止部の前記光射出面側の面に、前記凸部の少なくとも一部が係止される係止凹部が形成されていることが好ましい。
【０００９】
本発明の照明装置は、光入射辺に複数の凸部を有し、光射出面から液晶パネルに向けて照明光を射出する導光板と、前記導光板の前記凸部間に配置され、当該導光板の前記光入射辺側に光を射出する光源と、前記液晶パネルおよび前記導光板を保持する保持部材と、を有し、前記保持部材は、少なくとも前記導光板の前記光入射辺に隣接し互いに対向する２つの辺を保持する側壁部と、前記液晶パネルおよび前記導光板を保持する保持面とを有してなり、前記保持面は、前記液晶パネルの角部とその近傍を除く周縁部を支持するパネル支持領域と、前記パネル支持領域よりも低い位置にあって前記液晶パネルを支持しないパネル非支持領域を有し、前記パネル非支持領域は、前記光入射辺に沿って設けられた係止部とを有してなり、前記係止部の内壁面に、前記導光板の前記凸部の少なくとも一部を嵌入させる嵌入凹部が形成されている。
【００１０】
また、前記凸部の突出する方向の先端側面に、前記凸部から外側に突出する突起部が形成されており、前記突起部が前記係止部に係止されていることが好ましい。
【００１１】
また、前記保持面は、高低差のある前記パネル支持領域と前記パネル非支持領域を、傾斜面を介して接続することも好ましい。
【００１２】
また、前記係止部は、少なくとも一部に前記側壁部よりも断面積が小さい領域を有することが好ましい。
【００１３】
また、前記凸部と前記係止部とが接着剤により固定されていることも好ましい。
【００１４】
また、前記導光板の前記凸部が、前記係止部両端の前記保持部材の角部近傍にそれぞれ設けられていることも好ましい。
【００１５】
本発明の液晶装置は、上記のような照明装置と、該照明装置からの光を変調する液晶パネルとを備える。
【００１６】
本発明によれば、耐衝撃性に優れた液晶装置を備えていることから、高信頼性を確保した電子機器を得ることができる。
【発明を実施するための最良の形態】
【００１７】
以下、図面を参照しながら本発明の実施の形態について説明する。なお、以下の図面においては、図面を見やすくするため、各構成要素の膜厚や寸法の比率などは適宜異ならせてある。
【００１８】
（第１の実施形態）
以下に、本発明に係る一実施形態として、本発明の照明装置を備えた液晶装置を例に挙げて説明する。図１は本実施形態における液晶装置の分解斜視図である。図２は本実施形態における液晶装置の要部を示す断面図であって、（ａ）は図１のＡ−Ａで示す部分の液晶装置の断面図、（ｂ）は図１のＢ−Ｂで示す部分の液晶装置の断面図である。図３は導光板の概略構成を説明するための（ａ）平面図、（ｂ）斜視図であり、図４はフレームの概略構成を説明するための平面図であり、図５（ａ），（ｂ）はフレームの要部を示す斜視図であり、図６は図２（ｂ）におけるフレームと導光板との収容時の要部構成を示す断面図である。
【００１９】
図１に示すように、液晶装置１は、液晶パネル１００と、当該液晶パネル１００に接続された駆動用ＦＰＣ（Flexible Printed Circuit）基板１０と、液晶パネル１００の裏面側に配置されるバックライト２００（照明装置）と、液晶パネル１００及びバックライト２００を収容するフレーム３００（保持部材）とを有する。さらに、本実施形態の液晶装置１は、液晶パネル１００を駆動させる駆動用ＦＰＣ基板１０の他に、バックライト２００の光源とされるＬＥＤ１２を複数備えた光源用ＦＰＣ基板１８を有している。
【００２０】
液晶パネル１００は、図１，２に示されるように、第１基板３と、第１基板３から張り出した張り出し部２ａを有する第２基板２と、これら第１基板３及び第２基板２を貼り合わせるための基板周縁部に設けられたシール材５２と、第１基板３及び第２基板２とシール材５２とにより形成された空間内に配置された電気光学材料としての液晶層５０と、一対の基板２，３を挟むように設けられた第１偏光板８ａ及び第２偏光板８ｂとを有している。第１基板３及び第２基板２は、透光性を有するガラス、プラスチック等によって形成されている。
【００２１】
第２基板２の第１基板３と対向する面上には、ＩＴＯ（Indium・Tin Oxide）膜からなる複数の画素電極９と、画素電極９を覆うようにポリイミドなどからなる配向膜が形成されている。一方、第１基板３の第２基板２と対向する面上には、ＩＴＯ膜からなる対向電極２１が設けられ、この対向電極２１を覆うようにポリイミドなどからなる配向膜が形成されている。ここで、画素電極９、対向電極２１及びこれらを覆う配向膜は公知の技術で形成されるもので、図２においてはいずれも図示を省略してある。
【００２２】
張り出し部２ａ上には、例えば液晶パネル１００を駆動するために必要となる駆動用ＩＣ２３及び入力用端子（不図示）が接続されている。この入力用端子に外部電源や種々の外部機器が接続されることにより、ＦＰＣ基板１０を介して液晶パネル１００に駆動信号や電力を供給できるようになっている。このＦＰＣ基板１０は、例えば、ポリイミドやポリエステル等からなるフィルムを基材とする可撓性に優れた例えばＦＰＣからなるものである。
【００２３】
バックライト２００は、液晶パネル１００の第２基板２側に光射出面２１１ａを向けるほぼ矩形の導光板２１０と、液晶装置１として組み立てた時に導光板２１０のＬＥＤ配置部２１０ｂに収容される光源としてのＬＥＤ１２を備えた光源用ＦＰＣ基板１８と、液晶パネル１００と導光板２１０との間に導光板２１０から液晶パネル１００に向かって順に配置された矩形状のシート状光学部品としての拡散板２２２と２枚のプリズムシート２２０及び２２１と、導光板２１０の光射出面２１１ａとは反対側の裏面２１１ｂ上に積層配置される矩形状のシート状光学部品としての反射板２２３とを有して構成されている。
【００２４】
光源用ＦＰＣ基板１８には、接着シート２４を介してプリズムシート２２０が貼り合わされている。接着シート２４及びプリズムシート２２０には、光源用ＦＰＣ基板１８の各ＬＥＤ１２に対応する複数の孔２４ａ、２２０ａがそれぞれ設けられており、貼り合せ時にはこれら孔２４ａ，２２０ａ内にＬＥＤ１２をそれぞれ挿入させて裏面側（導光板２１０側）に露出させている。
【００２５】
図１に示すように、フレーム３００は略枠状、具体的に本実施形態では矩形の中央部がくりぬかれた額縁状のもので、例えばポリカーボネートやフッ素樹脂、ＡＢＳ等の樹脂から形成されている。フレーム３００には、導光板２１０の複数の突出部２１０ｅに対応した凹部３００ａと、突出部２１０ｆに対応した凹部３００ｂが設けられている。これら凹部３００ａ，凹部３００ｂに突出部２１０ｅ，突出部２１０ｆがそれぞれ嵌め込まれることにより導光板２１０がフレーム３００に固定されるようになっている。
【００２６】
フレーム３００内には、導光板２１０の光射出面２１１ａ上に液晶パネル１００がその第２基板２（第２偏光板８ｂ）側を対向させた状態で保持されている。
【００２７】
本実施形態に係る液晶装置は、導光板２１０およびフレーム３００に特徴を有している。以下、導光板２１０およびフレーム３００の構成について図２〜図６を用いて詳細に説明する。
【００２８】
図３（ａ），（ｂ）に示すように、本実施形態の導光板２１０は、ＬＥＤ１２からの光を内部に入射させる光入射辺２１１ｃ側に、複数のＬＥＤ配置部２１０ｂと複数の凸部２１０ａとが交互に存在している。各凸部２１０ａには、その上端縁からさらに外方へ突出する爪部２１２（突起部）がそれぞれ設けられている。爪部２１２の上面は光射出面２１１ａと面一となっていて、さらにその厚さＴ１は凸部２１０ａの厚さＴ２の約半分以下の寸法に設計されている。また、爪部２１２の幅Ｗ１に関しては凸部２１０ａの幅Ｗ２の約半分程度の幅に設計されている。但し、凸部２１０ａの厚さＴ１や凸部２１０ａの厚さＴ２、あるいは爪部２１２の幅Ｗ１や凸部の幅Ｗ２は、通常使用時における落下の衝撃などに耐え得る強度に設計されている。
【００２９】
光入射辺２１１ｃの両端部には、凸部２１０ａが一つずつ配置されていることが好ましい。凸部２１０ａが角部から離れた位置にある場合、落下時の衝撃でフレーム３００の撓みが大きくなってしまう。そのため、光入射辺２１１ｃの両端、すなわち導光板２１０の角部あるいはその近傍に凸部２１０ａを一つずつ配置しておくことが望ましい。
【００３０】
また、導光板２１０の長手方向に延在する側面２１１ｄ、２１１ｄには、複数の突出部２１０ｅ，２１０ｆが導光板２１０の厚さ方向に互いの位置を交互に異ならせて配置されている。
【００３１】
導光板２１０の光射出面２１１ａあるいはその裏面には、射出光量を面方向で均一化する光射出領域Ａが設けられている。この光射出領域Ａは、液晶パネル１００の少なくとも表示領域を覆う大きさとされており、微細な凸部（以下、微細凸部）が多数形成されている。微細凸部の集合密度（図３（ａ）のグラデーションで示す）は、光入射辺２１１ｃから遠くなるほど高まるよう構成されていて、これによって光入射辺２１１ｃから入射した光が光射出面２１１ａ内において均一な量で射出することになる。
【００３２】
図２，４に示すように、フレーム３００は、上記した導光板２１０および液晶パネル１００を保持する枠形状の保持部材であって、その中央には、放熱性、軽量化、薄型化の観点から開口３０２が設けられている。この開口３０２は導光板２１０の外形に沿う大きさで形成されたもので、内部に導光板２１０（図１）が嵌合されて収容される。
【００３３】
フレーム３００は、外枠を構成する側壁部３５０と、側壁部３５０の内側に形成された段差部３６０とからなるもので、これら側壁部３５０および段差部３６０が射出成形により一体に形成されている。側壁部３５０の高さＨ（図２）は液晶パネル１００の厚み方向を許容できる寸法となっているため、収容した液晶パネル１００がフレーム３００からはみ出るようなことはない。
【００３４】
フレーム３００は、液晶パネル１００の周縁部の少なくとも一部を支持する段差部３６０を有しており、液晶パネル１００の４つの角部とその近傍を支持しない構成になっている。段差部３６０は、液晶パネル１００の角部とその近傍を支持しないだけでなく、隣り合う２つの角部を含む張り出し部２ａの周縁を支持しない構成とされていて、これら以外の箇所を支持することで液晶パネル１００をフレーム３００内に保持できるようになっている。
【００３５】
側壁部３５０の内側に突出するようにして設けられる段差部３６０は、側壁部３５０の内周面３５ａに対して略垂直をなすとともに側壁部３５０の上面３５ｂとは高さ位置を異ならせた主面３６１を有している。主面３６１は、第１面３６ａ，３６ａ，３６ｆからなるパネル支持領域と、第２面３６ｅ，３６ｃ，３６ｃ、第１傾斜面３６ｂ，３６ｂ、および第２傾斜面３６ｄ，３６ｄ，３６ｇ，３６ｇからなるパネル非支持領域（図４中の模様を付して示す領域）とを有してなり、このパネル非支持領域は、パネル支持領域（液晶パネル１００と接する領域）よりも低い領域とされている。
【００３６】
図４および図５（ａ）に示すように、フレーム３００の長手方向に沿う第１面３６ａ，３６ａはそれぞれ一方の端部側が第１傾斜面３６ｂ，３６ｂを介して、第１面３６ａ，３６ａよりも低い第２面３６ｃ，３６ｃに接続され、第２面３６ｃ，３６ｃがそれぞれの端部をフレーム３００の短手方向に沿う第２面３６ｅの端部に突き合わせるようにして接続されている。第１傾斜面３６ｂ，３６ｂは、第１面３６ａ，３６ａからフレーム３００の角部の頂部、すなわち第２面３６ｃ，３６ｃに向かって下り傾斜とされた傾斜面となっており、互いに高さ位置を異ならせた第１面３６ａ，３６ａと第２面３６ｅが第１傾斜面３６ｂ，３６ｂおよび第２面３６ｃ，３６ｃを介して接続されている。このように、液晶パネル１００の張り出し部２ａと平面的に重なるこれら第２面３６ｃ，３６ｃ，３６ｅを低く形成することにより張り出し部２ａを支持しない構成としてある。
【００３７】
一方、第１面３６ａ，３６ａの他方の端部側は、図４および図５（ｂ）に示すように、第２傾斜面３６ｄ，３６ｄにそれぞれ接続されている。また、フレーム３００の短手方向に沿うとともに第２面３６ｅと対向する第１面３６ｆの両端には第２傾斜面３６ｇ，３６ｇがそれぞれ接続されている。そして、これら第２傾斜面３６ｄ，３６ｄと第２傾斜面３６ｇ，３６ｇとが、フレーム３００の角部において互いの端部を突き合わせるようにして接続されている。第２傾斜面３６ｄ，３６ｄは、第１面３６ａ，３６ａから角部の頂部に向かって下り傾斜とされた傾斜面となっており、フレーム３００の角部の頂部が最も低く（深く）なるように構成されている。そして、これら第２傾斜面３６ｄ,３６ｄ，３６ｇ，３６ｇが、液晶パネル１００の張り出し部２ａと平面的に重なる領域以外に位置する角部とその近傍を支持しない構成としてある。
【００３８】
フレーム３００の４つの角部における頂部と、角部近傍の第２面３６ｃ，３６ｃ、第２面３６ｅはいずれも同じ高さ（深さ）とされていて、液晶パネル１００の角部およびその近傍からパネル厚さ方向で最も離れて配置されるようになっている。なお、一枚基板となる張り出し部２ａのの角部にそれぞれ対応するフレーム３００の角部を他の角部よりも低めに形成するようにしてもよい。
【００３９】
このように、複数の第１傾斜面３６ｂ，３６ｂおよび第２傾斜面３６ｄ，３６ｄ，３６ｇ，３６ｇが存在することによって周方向において高低差のある主面３６１となっている。
【００４０】
本実施形態のフレーム３００には、図４および図５（ａ）に示すように、導光板２１０（図３）の光入射辺２１１ｃに対応するとともにフレーム３００の短手方向に延在する段差部３６０Ａ（係止部）に、導光板２１０の凸部２１０ａの爪部２１２を係止させる係止凹部３００ｃが凸部２１０ａの数に応じて複数設けられている。係止凹部３００ｃは、第１面３６ｅから段差部３６０Ａの厚さ方向に凹むようにして形成されている。このような係止凹部３００ｃ内に導光板２１０の凸部２１０ａの爪部２１２を係止させるだけでフレーム３００に対する導光板２１０の位置決めがなされることになる。
【００４１】
上述したフレーム３００に導光板２１０を収容した状態、つまりフレーム３００の係止凹部３００ｃに導光板２１０の爪部２１２が嵌合した状態においては、図６に示すように、係止凹部３００ｃの内面６ｅに爪部２１２の内面２１２Ａが対向するようになっている。本実施形態では、導光板２１０の光入射辺２１１ｃ側に関しては各凸部２１０ａの爪部２１２が光射出面２１１ａ側から係止凹部３００ｃに係合することによって、フレーム３００の上方向（光射出面２２１ａ方向）への移動が規制されている。
【００４２】
また、上述したように、導光板２１０の側面２１１ｄ，２１１ｄ（図１）に関しては各突出部２１０ｅ，２１０ｆが対応するフレーム３００の凹部３００ａ，３００ｂにそれぞれ嵌め込まれることによって上下方向（厚み方向）の移動が規制されている。このようにして、フレーム３００に導光板２１０が取り付けられる。
【００４３】
図２に戻り、本実施形態では、フレーム３００の第１傾斜面３６ｂに接続する第２面３６ｃに弾性を有した衝撃緩和部材３５５がそれぞれ配置されている。収容する液晶パネル１００の角部近傍に対応する領域に衝撃緩和部材３５５を介在させておくことで、液晶パネル１００とフレーム３００との間の隙間を部分的に埋めることができるので液晶パネル１００を良好に収容することが可能となる。また、第２面３６ｃ，３６ｃ，３６ｅが形成された段差部３６０の板厚は他の領域に比べて薄くなっているため撓みやすいが、液晶パネル１００との間に衝撃緩和部材３５５などを介在させておくことで落下時などにおけるフレーム３００の撓みを抑制できる。
【００４４】
以上述べたように、フレーム３００に保持される導光板２１０は、その光入射辺２１１ｃに設けられた複数の凸部２１０ａの爪部２１２がフレーム３００の各係止凹部３００ｃ内にそれぞれ嵌め込まれてフレーム３００内に保持されている。そのため、例えば液晶装置１の落下時に、フレーム３００が主面３６１側（導光板２１０の光射出面２１１ａ側）へ撓もうとするのを導光板２１０の爪部２１２（凸部２１０ａ）によって押さえることができる。導光板２１０によってフレーム３００の撓みを抑制することによって、フレーム３００に保持される液晶パネル１００に衝撃の応力がかかることを抑制することができるので、液晶パネル１００が破損するのを防止することが可能になる。
【００４５】
本実施形態では、液晶パネル１００の張り出し部２ａに対応するフレーム３００の短手方向一方の辺（段差部３６０Ａ）の肉厚が薄く形成されていて、フレーム３００の軽量化を実現した構成となっている。従来は、フレーム３００の強度を確保するためにできるだけ肉厚な構造設計がなされていた。ところが、逆にモジュール落下時の衝撃によってフレーム３００に撓みが生じた際に、フレーム３００の重量が大きいとそれだけ液晶パネル１００に加わる応力が大きくなってしまい、液晶パネル１００の弱い部分（一枚基板とされた液晶パネル１００の張り出し部２ａ）が破損する虞があった。
【００４６】
これに対して本実施形態では、フレーム３００の、特に液晶パネル１００の張り出し部２ａに対応する段差部３６０Ａの肉厚を薄くするなど、フレーム３００全体の軽量化を図るとともに、導光板２１０によって落下時の衝撃に伴うフレーム３００の慣性力を抑えてフレーム３００の動きを抑制し、液晶パネル１００側へ撓むことを防止することが可能である。つまり、導光板２１０に設けられた複数の凸部２１０ａを光射出面２１１ａ側からフレーム３００の各係止凹部３００ｃに嵌合させることによって、落下時の衝撃でフレーム３００が光射出面２１１ａ側へ撓むのを導光板２１０によって押さえることができる。仮に、落下時の衝撃によってフレーム３００が若干撓むことがあったとしても、液晶パネル１００に過度の応力がかかることはないことから、液晶パネル１００が破損するまでには至らない。
【００４７】
また、本実施形態においては、導光板２１０の光入射辺２１１ｃの両端側に凸部２１０ａ，２１０ａがそれぞれ配置されているので、これら凸部２１０ａ，２１０ａによってフレーム３００の角部およびその近傍の撓みを押さえることがより可能になる。また、フレーム３００の係止凹部３００ｃ内に凸部２１０ａが嵌合する構成とすることで、フレーム３００に対する導光板２１０の面方向のズレを防止できる。
なお、フレーム３００の係止凹部３００ｃに導光板２１０の爪部２１２が固定されていてもよい。これにより、より効果的にフレーム３００の撓みを抑制することができる。
【００４８】
さらに、凸部２１０ａに設けられた爪部２１２は、通常の使用時における落下の衝撃に伴うフレーム３００の撓みを十分に抑えられる強度を有した形状をなしている。同時に凸部２１０ａの構成についても同じことが云える。
【００４９】
このように、落下時の衝撃によってフレーム３００が撓むことを導光板２１０によって効果的に押さえることができるので、液晶パネル１００に応力が加わることが抑制される。そのため、液晶パネル１００の割れなどの破損を阻止できる耐衝撃性に優れた液晶装置を得ることができる。したがって、製品信頼性を確保することが可能である。
【００５０】
また、フレーム３００のパネル非支持領域が薄く形成されているのでフレーム３００を軽量化することができた。
【００５１】
なお、側壁部３５０には、上記した駆動用ＦＰＣ基板１０を通すための開口３２０が形成されているが、側壁部３５０にはこれら開口３２０，３３０以外にも側壁部３５０にフレーム３００の放熱化、軽量化のための開口をいくつか設けるようにしてもよい。
【００５２】
（第２の実施形態）
図７は、第２の実施形態のフレームの要部を示す斜視図である。
図７に示すように、本実施形態におけるフレーム４００は、段差部３６０Ａの内面３６０ａ側に嵌入凹部４００ｃが、導光板２１０の各凸部２１０ａに対応して複数設けられている。そして、導光板２１０の各凸部２１０ａを上記各嵌入凹部４００ｃ内にそれぞれ挿入させることによって、フレーム４００に導光板２１０が保持される。
【００５３】
このような構成によれば、上記実施形態同様、落下時に、フレーム４００が導光板２１０の光射出面２１１ａ側へ撓むことを導光板２１０の凸部２２０ａによって防止できる。また、導光板２１０の凸部２２０ａがフレーム３００の嵌入凹部４００ｃ内に嵌入されることにより、フレーム４００に対する導光板２１０の厚さ方向の移動が規制されるため、フレーム４００が、導光板２１０の光射出面２１１ａとは反対側へ撓むことも押さえることができる。このように、フレーム４００の撓みを押さえることで液晶パネル１００に応力がかかるのを防止できるので、落下時の衝撃でパネル割れが生じることをなくすことが可能となる。したがって、耐衝撃性に優れた液晶装置を得ることができる。
【００５４】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００５５】
例えば、導光板２１０の凸部２１０ａおよび爪部２１２の形状は、フレーム３００の液晶パネル１００側への撓みを抑えて動きを抑制することができれば特に問わない。例えば、爪部２１２がなく、凸部２１０ａが係止部に係止される構成とすることも可能である。但し、凸部２１０ａや爪部２１２の形状が大きいと、これに対応するフレーム３００の係止凹部３００ｃも大きく形成しなければならず段差部３６０Ａの厚さが薄くなる領域が増えるのでフレーム３００の強度の面からすると好ましくない。そのため、凸部２１０ａの先端に設けられた爪部２１２をフレーム３００に係止させる方が、凸部２１０ａ全体をフレーム３００に係止させる場合に比べて少ない領域でフレーム３００の撓みを押さえることができる。また、凸部２１０ａの幅Ｗ２を狭くしてフレーム３００に係止する領域を小さくする場合、凸部２１０ａの延在長さ（突出量）によっては落下時の衝撃が凸部２１０ａの基部にかかる虞があるため、このことを考慮した上で凸部２１０ａの形状を選択することが好ましい。
【００５６】
（電子機器）
次に、上述した電気光学装置を備える電子機器の具体例について説明する。
図８（ａ）は携帯電話の一例を示した斜視図である。図８（ａ）において、符号６００は携帯電話本体を示し、符号６０１は上記実施形態の液晶表示装置を備えた液晶表示部を示している。図８（ｂ）はワープロ、パソコンなどの携帯型情報処理装置の一例を示した斜視図である。図８（ｂ）において、符号７００は情報処理装置、７０２はキーボードなどの入力部、７０３は情報処理本体、７０２は上記実施形態の液晶表示装置を備えた液晶表示部を示している。図８（ｃ）は腕時計型電子機器の一例を示した斜視図である。図８（ｃ）において、符号８００は腕時計本体を示し、８０１は上記実施形態の液晶表示装置を備えた液晶表示部を示している。なお、本実施形態の電子機器は液晶表示装置を備えるものとしたが、有機ＥＬ表示装置、ＰＤＰ等、他の電気光学装置を備えても良い。また、電子機器はこれらに限定されず、表示機能を有する各種の電子機器に適用可能である。
例えばこれらの他に、表示機能付きファックス装置、デジタルカメラのファインダ、携帯型ＴＶ、電子手帳、電光掲示盤、宣伝公告用ディスプレイなども含まれる。
【００５７】
本実施形態の電子機器によれば、上述したように耐衝撃性に優れた液晶装置１を表示部として備えているので、信頼性の高いものとなる。
【００５８】
なお、本発明の電子機器としては、携帯電話以外にも、例えば電子ノート、パーソナルコンピュータ、電子ブック、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等などを挙げることができる。
【図面の簡単な説明】
【００５９】
【図１】本発明の実施形態に係る液晶装置の分解斜視図。
【図２】本発明の実施形態に係る液晶装置の概略構成を示す断面図であって、（ａ）は図１のＡ−Ａ断面図、（ｂ）は図１のＢ−Ｂ断面図。
【図３】フレームの概略構成を示す平面図。
【図４】フレームの要部を示す斜視図。
【図５】フレームの角部およびその近傍（傾斜面）における構成を示す斜視図。
【図６】図２（ｂ）の要部拡大断面図。
【図７】フレームの他の実施形態。
【図８】本発明の実施形態に係る電子機器。
【符号の説明】
【００６０】
１…液晶装置、２…第２基板、２ａ…張り出し部、３…第１基板、３６ｂ，３６ｂ…第１傾斜面、３６ｄ，３６ｄ,３６ｇ，３６ｇ…第２傾斜面、５２…シール材、１００…液晶パネル、２００…バックライト（照明装置）、２１０ａ…凸部、２１０ｂ…ＬＥＤ配置部、２１１ｃ…光入射辺、２１１ａ…光射出面、２１２…爪部（突起部）、３００…フレーム（保持部材）、３００ｃ…係止凹部、３６０Ａ…段差部（係止部）、３６０…段差部、３５０…側壁部、３６１…主面、３５５…衝撃緩和部材、４００…第２実施形態のフレーム、４００ｃ…嵌入凹部
【図１】
0004941376.tif 000002
【図２】
0004941376.tif 000003
【図３】
0004941376.tif 000004
【図４】
0004941376.tif 000005
【図５】
0004941376.tif 000006
【図６】
0004941376.tif 000007
【図７】
0004941376.tif 000008
【図８】
0004941376.tif 000009